(57)【特許請求の範囲】
【請求項１】
基座（１）およびローター（２）により構成される放熱器の構造であって、前記基座（１）には貫通孔（１１）が穿設され、貫通孔（１１）の両端にはそれぞれ風進入口と風排出口が形成され、貫通孔（１１）の一端には支持部（１２）が設けられ、基座（１）の外周壁には少なくとも二個のコイル（１４）が結合され、基座（１）にはＩＣ制御素子（１５）が設けられ、ＩＣ制御素子（１５）とコイル（１４）の間には電気による連接が形成され、前記ローター（２）には回転軸（２１）と複数個の羽根（２２）が形成され、複数個の羽根（２２）の外縁にはＮＳ磁極を有する環状の永久磁石（２３）が結合され、回転軸（２１）の一端は基座（１）の支持部（１２）に枢着され、ＩＣ制御素子（１５）によってローター（２）の永久磁石（２３）の磁性の変化を検出して信号を出力することにより、コイル（１４）は磁性の向きが異なる磁力を別々に生じ、これにより、永久磁石（２３）を有するローター（２）を反発させて回転することができ、前記基座（１）の外周壁には複数個の固定部材（１３）が設けられ、該固定部材（１３）はコイル（１４）が嵌設して定位するのに用いられることを特徴とする放熱器の構造。
【請求項２】
前記基座（１）の外周壁には前記コイル（１４）を収容する座ぐり（１８）が形成され、前記固定部材（１３）は座ぐり（１８）内に形成されることを特徴とする請求項１記載の放熱器の構造。
【請求項３】
前記固定部材（１３）は突出した柱の形状に形成されることを特徴とする請求項１記載の放熱器の構造。
【請求項４】
前記貫通孔（１１）の他端に支持部材（１６）が固設され、支持部材（１６）にはローター（２）の回転軸（２１）の他端が枢着するための支持部（１６２）が設けられることを特徴とする請求項１記載の放熱器の構造。
【請求項５】
前記支持部材（１６）は係止部材（１６１）によって前記基座（１）の定位孔（１７）に係止されるように形成されることを特徴とする請求項４記載の放熱器の構造。
【請求項６】
前記ローター（２）の永久磁石（２３）は環状体（４３）でかつ同じ間隔で設けられた偶数個の永久磁石からなることを特徴とする請求項１記載の放熱器の構造。
【請求項７】
前記環状体（４３）に結合された隣合せの永久磁石は異なる磁性を有するように形成されることを特徴とする請求項６記載の放熱器の構造。
【発明の詳細な説明】
【０００１】
【発明の属する技術分野】
本発明は、放熱器の構造に関するもので、特に簡単な構造を有すると共に、磁気伝導通路の磁気抵抗を省くことができることにより、相対的により大きな回転トルクを有する放熱器の構造に係るものである。
【０００２】
【従来の技術】
従来この種のものにあっては、下記のようなものになっている。
【０００３】
図７に示す従来の放熱器の構造において、放熱器の基座９０には軸座９１が突設され、軸座９１はコイル９２３を巻き付けたステータ座９２が結合するのに用いられ、ステータ座９２にはそれぞれ上磁極片９２１と下磁極片９２２が設けられる。ステータ座９２は金属軸管９３によって嵌設され、金属軸管９３の内部には軸受け９４が嵌設される。軸受け９４はローター９５の回転軸９６が枢着して回転するのに用いられ、ローター９５そのものにはＮＳ磁極を有する永久磁石９７が環設され、永久磁石９７のＮＳ磁極はそれぞれ上磁極片９２１および下磁極片９２２の磁極縁端が生じた磁力と互いに反発し合うことにより、ローター９５は回転することができるように構成されている。
【０００４】
【発明が解決しようとする課題】
前述した図７に示す従来の放熱器の構造は、ステータ座９２の上磁極片９２１と下磁極片９２２の間にはコイル９２３が巻き付けられることにより、ステータ座９２の構造は比較的複雑になるため、製造上において比較的面倒である。さらに、ステータは金属軸管９３により上磁極片９２１および下磁極片９２２と磁気伝導通路に形成され、磁気伝導通路はその材料によって磁気抵抗を有するように形成されるため、磁気抵抗の増加に伴って回転トルクも影響を受けてしまうという問題点があった。
【０００５】
本発明は、このような問題点に鑑みて発明したものであって、その目的とするところは、少ない部品を有するため、比較的小型に製造することができると共に、簡単に加工し製造することができる放熱器の構造を提供しようとするものである。
【０００６】
本発明の第二目的は、コイルから生じた磁力がＮＳ磁極を有する永久磁石と直接反発し合う斥力を生じさせることにより、磁気伝導通路の磁気抵抗を省くことができるため、比較的よい回転トルクを有することができる放熱器の構造を提供しようとするものである。
【０００７】
【課題を解決するための手段】
上記目的を達成するために、本発明による放熱器の構造は、下記のようになるものである。すなわち、本発明の放熱器の構造は、基座およびローターにより構成される。基座には貫通孔が穿設され、貫通孔の両端にはそれぞれ風進入口と風排出口が形成され、貫通孔の一端には支持部が設けられ、基座の外周壁には少なくとも二個のコイルが結合され、基座にはＩＣ制御素子が設けられ、ＩＣ制御素子とコイルの間には電気による連接が形成される。ローターには回転軸と複数個の羽根が形成され、複数個の羽根の外縁にはＮＳ磁極を有する環状の永久磁石が結合され、回転軸の一端は基座の支持部に枢着される。ＩＣ制御素子によってローターの永久磁石の磁性の変化を検出して信号を出力することにより、コイルは磁性の向きが異なる磁力を別々に生じさせることができ、基座の外周壁には複数個の固定部材が設けられ、固定部材はコイルが嵌設して定位するのに用いられるため、永久磁石を有するローターを回転するように反発させることができる。
【０００８】
また、本発明の放熱器の構造は、下記のように構成することもできる。
１．前記基座の周壁にはコイルと同じ個数の固定部材が固設され、固定部材はコイルが嵌設して定位するのに用いられる。
２．前記基座の外周壁には前記コイルを収容する座ぐりが形成され、固定部材は座ぐり内に形成される。
３．前記固定部材は突出した柱の形状に形成される。
４．貫通孔の他端に支持部材が固設され、支持部材にはローターの回転軸の他端が枢着するための支持部が設けられる。
５．前記支持部材は係止部材によって基座の定位孔に係止される。
６．前記ローターの永久磁石は環状体でかつ同じ間隔で設けられた偶数個の永久磁石からなる。
７．前記環状体に結合された隣合せの永久磁石は異なる磁性を有するように形成される。
【０００９】
【発明の実施の形態】
本発明の実施の形態について、以下、図面を参照して説明する。
【００１０】
【実施例１】
図１は本発明の実施例１による放熱器の構造の分解斜視図で、本実施例の放熱器の構造は、主に、基座１およびローター２などの部材により構成される。
【００１１】
基座１は貫通孔１１を有する框体で、貫通孔１１の一端には風進入口に形成されるのに対し、貫通孔１１の他端には風排出口に形成される。貫通孔１１はローター２が回転するように収容することができる。基座１の一端には支持部１２が設けられ、支持部１２は軸受けまたはブシュなどの部材からなることができるため、ローター２の回転軸２１が回転するのを支持することができる。基座１の周壁には少なくとも二個のコイル１４が結合され、コイル１４は固定部材１３に嵌設することができる。固定部材１３は基座１の内周壁または外周壁に固設することができ、さらに固定部材１３は突出した柱の形状に形成することができ、固定部材１３によって各コイル１４と結合することができる。また、ローター２が回転できる目的を達するため、基座１には従来の駆動回路、ホール誘導素子などのＩＣ制御素子１５が設けられ、ＩＣ制御素子１５とコイル１４の間には電気による連接が形成される。また、ローター２が安定して回転するために、基座１には他に支持部材１６が固設され、支持部材１６は基座１に固定されることができる。最良な実施の形態として、図１に示すように、支持部材１６には係止部材１６１が突設され、係止部材１６１によって基座１の定位孔１７に直接嵌入することができ、さらに支持部材１６には支持部１６２が設けられ、支持部１６２は軸受けまたはブシュなどの部材からなることができる。
【００１２】
ローター２には回転軸２１と複数個の羽根２２が形成され、複数個の羽根２２の外縁にはＮＳ磁極を有する環状の永久磁石２３が結合され、回転軸２１の両端はそれぞれ基座１および支持部材１６に設けられた支持部１２，１６２に枢着される。
【００１３】
図２，３は本発明の実施例１による放熱器の構造の組立てられた状態の平面断面図とその３−３線に沿った断面図で、基座１はそのものの周壁に二個の固定部材１３が固設され、二個の固定部材１３にはそれぞれ二個のコイル１４が結合される。さらに、基座１の貫通孔１１にはローター２が収容され、ローター２の回転軸２１の両端はそれぞれ基座１および支持部材１６に設けられた支持部１２，１６２に枢着される。そして、ローター２の永久磁石２３は基座１に嵌設されたコイル１４の位置と対応するように形成されるため、ＩＣ制御素子１５によってローター２の永久磁石２３の磁性の変化を検出して信号を出力することにより、二個のコイル１４は磁性の向きが異なる磁力を別々に生じさせることができ、これにより、永久磁石２３を回転するように反発させることができると共に、ローター２を回転し続けさせることができる。さらにローター２の羽根２２は気体が流動するのを駆動することができるため、気体は貫通孔１１の一端から吸入され、貫通孔１１の他端から排出されることにより、放熱器が形成される。
【００１４】
【実施例２】
図４は本発明の実施例２による放熱器の構造の分解斜視図で、基座１の周壁にはコイル１４の個数と同じ数の座ぐり１８が複数個設けられ、複数個の座ぐり１８の中にはそれぞれ突出した柱などの固定部材１３が固設される。固定部材１３はコイルが嵌設して定位するのに用いられることができる。基座１は支持部１２によってローター２の回転軸２１の一端が回転するのを支持することができる。回転軸２１には羽根２２と永久磁石２３が設けられ、回転軸２１の他端は支持部材１６の支持部１６２に当接するように形成され、支持部材１６は基座１に結合されることができる。最良な実施の形態として、支持部材１６は係止部材１６１によって基座１の定位孔１７に嵌入することができ、基座１には他にＩＣ制御素子１５が設けられ、ＩＣ制御素子１５によってローター２の永久磁石２３の磁性の変化を検出して信号を出力することにより、複数個のコイル１４は磁性の向きが異なる磁力を別々に生じさせることができ、これにより、永久磁石２３を回転するように反発させることができると共に、ローター２を回転し続けさせることができる。さらにローター２の羽根２２は気体が流動するのを駆動することができるため、気体は貫通孔１１の一端から吸入され、貫通孔１１の他端から排出されることにより、放熱器が形成される。
【００１５】
【実施例３】
図５は本発明の実施例３による放熱器の構造の分解斜視図で、本実施例の放熱器の構造は、主に、基座３およびローター４などの部材により構成される。
【００１６】
基座３には貫通孔３１が穿設される。貫通孔３１の一端には風進入口に形成されるのに対し、貫通孔３１の他端には風排出口に形成され、貫通孔３１にはローター４が回転するように収容することができる。基座３の一端には支持部３２が設けられ、支持部３２は軸受けまたはブシュなどの部材からなることができるため、ローター４の回転軸４１が回転するのを支持することができる。基座３の周壁にはコイル３４の個数と同じ数の固定部材３３が固設され、固定部材３３はそれぞれのコイル３４が嵌設するのに用いられる。また、基座３にも従来の駆動回路、ホール誘導素子などのＩＣ制御素子３５が設けられ、ＩＣ制御素子３５とコイル３４の間には電気による連接が形成される。
【００１７】
ローター４の中央部には回転軸４１が垂設され、回転軸４１には羽根４２が形成され、羽根４２の外縁には環状体４３が結合され、環状体４３には同じ間隔で偶数個の永久磁石４４が結合され、環状体４３に結合された隣合せの永久磁石４４はそれぞれ異なる磁性を有するように形成される。
【００１８】
図６は本発明の実施例３による放熱器の構造の組立てられた状態の断面図で、ローター４の回転軸４１の一端は基座３の支持部３２に枢着される。そして、ローター４の各永久磁石４４は基座３に嵌設されたコイル３４の位置と対応するように形成されるため、ＩＣ制御素子３５によってローター４の永久磁石４４の磁性の変化を検出して信号を出力することにより、各コイル３４は磁性の向きが異なる磁力を別々に生じさせることができ、これにより、永久磁石４４が結合された環状体４３を回転するように反発させることができると共に、ローター４を回転し続けさせることができる。さらにローター４の羽根４２は気体が流動するのを駆動することができるため、気体は貫通孔３１の一端から吸入され、貫通孔３１の他端から排出されることにより、放熱器が形成される。
【００１９】
【発明の効果】
本発明によれば、比較的少ない部材を有するため、放熱器は相対的に簡単な構造を有すると共に、製造加工上において大変簡単になる。さらに、本発明の放熱器は従来の直流ブラシレスモーターの磁極片、金属軸管などの磁気伝導部材を減らしたため、放熱器の容積も相対的に減縮する。さらに、本発明の放熱器はコイルに電流を流してから生じた磁界によってローターのＮＳ磁極を有する永久磁石と直接に反発し合う磁力を生じさせることにより、ローターを回転するように駆動することができ、磁極片、金属軸管などの部材が形成する磁気伝導通路を減らすことができるため、磁気抵抗も相対的に低く抑えられたり減らされたりすることができることにより、放熱器は相対的により大きな回転トルクを獲得することができるという利点がある。
【００２０】
本発明は、その精神および必須の特徴事項から逸脱することなく他のやり方で実施することができる。従って、本明細書に記載した好ましい実施の形態は例示的なものであり、限定的なものではない。
【図面の簡単な説明】
【図１】  本発明の実施例１による放熱器の構造の分解斜視図である。
【図２】  本発明の実施例１による放熱器の構造の組立てられた状態の平面断面図である。
【図３】  図２の３−３線に沿った断面図である。
【図４】  本発明の実施例２による放熱器の構造の分解斜視図である。
【図５】  本発明の実施例３による放熱器の構造の分解斜視図である。
【図６】  本発明の実施例３による放熱器の構造の組立てられた状態の断面図である。
【図７】  従来の放熱器の分解斜視図である。
【符号の説明】
１    基座                        １１    貫通孔
１２    支持部                      １３    固定部材
１４    コイル                      １５    ＩＣ制御素子
１６    支持部材                  １６１    係止部材
１６２    支持部                      １７    定位孔
１８    座ぐり                        ２    ローター
２１    回転軸                      ２２    羽根
２３    永久磁石                      ３    基座
３１    貫通孔                      ３２    支持部
３３    固定部材                    ３４    コイル
３５    ＩＣ制御素子                  ４    ローター
４１    回転軸                      ４２    羽根
４３    環状体                      ４４    永久磁石
【図１】
0003954821.tif 000002
【図２】
0003954821.tif 000003
【図３】
0003954821.tif 000004
【図４】
0003954821.tif 000005
【図５】
0003954821.tif 000006
【図６】
0003954821.tif 000007
【図７】
0003954821.tif 000008